(57)【要約】【課題】携帯端末装置の消費電力量を低減する。【解決手段】入射された光を蓄えて発光し、キーシート１を照射する燐光材料シート２におけるキーに対応する範囲に、複数の穴によるメッシュ部６が設ける。ＬＥＤ５は、メッシュ部６を介してキーシート１に光を照射する。制御手段８は、タイマ部９にＬＥＤ５が点灯してからの時間を計測させ、所定の時間を経過した場合に、ＬＥＤ５を消灯させる。ＬＥＤ５の消灯後、キーシート１には、燐光材料シート２によって発せられた光が照射される。【選択図】図３
2008236630.tif 000002
【特許請求の範囲】
【請求項１】
ユーザによって操作されるキー操作部を含むキーシートと、内部に設置された基板に設置され前記キー操作部を照射する発光素子とを備えた携帯端末装置において、
時間を計測する計時手段と、
前記発光素子を点灯または消灯させる制御手段とを備え、
前記キーシートにおける前記携帯端末装置の表面側の面の裏面に向かい合って設置され、複数の穴が前記キーシートの前記キー操作部に対応する範囲に設けられ、光を蓄えて前記キー操作部に光を照射する蓄光シートが、前記キーシートと前記基板との間に設けられ、
前記発光素子は、前記基板における前記蓄光シートに向かい合う面に設置され、前記蓄光シートに設けられた前記穴を介して前記キー操作部を照射し、
前記制御手段は、前記携帯端末装置に所定の条件が成立した場合に前記計時手段に時間の計測を開始させ、前記計時手段によって時間の計測が開始されてから所定の時間が経過したときに、前記発光素子を消灯させる
ことを特徴とする携帯端末装置。
【請求項２】
外部から入射した光の照度を測定する照度センサが、基板における蓄光シートに向かい合う面に設置され、
前記蓄光シートにおける前記照度センサに対応する位置には、外部から入射した光を通過させる照度測定用穴が設けられ、
制御手段は、前記照度センサが測定した測定照度と、予め決められた閾値とを比較して、前記測定照度が前記閾値以下である場合に、発光素子を点灯させ、計時手段に時間の計時を開始させ、前記計時手段によって時間の計測が開始されてから所定の時間が経過したときに、前記発光素子を消灯させる
請求項１記載の携帯端末装置。
【請求項３】
蓄光シートにおけるキー操作部に対応する範囲には、網目状に穴が設けられている
請求項１または請求項２記載の携帯端末装置。
【請求項４】
蓄光シートに設けられている穴は、携帯端末装置の色または形状に応じた形状、数、および大きさである
請求項３記載の携帯端末装置。
【請求項５】
制御手段は、計時手段によって時間の計測が開始されてから、蓄光シートが光を蓄えるための時間が経過した場合に、発光素子を消灯させる
請求項１から請求項４のうちいずれか１項記載の携帯端末装置。
【請求項６】
蓄光シートには、蓄光材料が塗布または練り込まれている
請求項１から請求項５のうちいずれか１項記載の携帯端末装置。
【発明の詳細な説明】
【技術分野】
【０００１】
本発明は、ユーザによって操作されるキー操作部を含むキーシートを備えた携帯端末装置に関する。
【背景技術】
【０００２】
キー操作部を有する携帯電話機等の携帯端末装置の多くは、暗所でのキーの視認性を高めるために、キー用の照明としてキーバックライト装置を備えている。
【０００３】
そして、携帯電話機のキーバックライト装置の発光源には、ＬＥＤ（Ｌｉｇｈｔ  Ｅｍｉｔｔｉｎｇ  Ｄｉｏｄｅ）が用いられる場合が多い。
【０００４】
携帯電話機等の携帯端末装置に搭載されている電池の電池容量には限りがあり、ＬＥＤを点灯させるための消費電力量は、携帯端末装置の使用可能時間に大きく影響する。
【０００５】
そのため、従来の携帯端末装置では、通常点灯状態と、通常点灯状態よりも発光量は少ないが消費電力量が少ない微灯状態とのように、ＬＥＤの発光度合いを使い分けたり、タイマを用いて、ＬＥＤを一定時間点灯させた後自動的に消灯させたりして、消費電力量を低減している。
【０００６】
特許文献１には、表示手段に光を照射する蓄光部材を備え、蓄光部材が発した光を受光する受光素子が検出した光量が閾値以上であると判定した場合に、発光素子を消灯させる携帯機器が記載されている。
【０００７】
特許文献２には、光センサが検出した明るさに応じて、表示部および操作部のライトを点灯させる携帯端末が記載されている。
【０００８】
【特許文献１】特開２００１−１１１６６３号公報（段落００１６〜００４３、図４）
【特許文献２】特開２００３−１２５０６１号公報（段落００１９〜００５２、図２）
【発明の開示】
【発明が解決しようとする課題】
【０００９】
特許文献１に記載されている携帯機器は、蓄光部材が発した光量に応じて発光素子を消灯させるか否かを決定するので、蓄光部材が発した光量が所定の閾値未満である場合には、ユーザによる表示手段の視認が可能な明るい場所であっても、発光素子を点灯させて、電力を消費するおそれがある。
【００１０】
また、特許文献２に記載されている携帯端末は、暗所で使用される場合に、消費電力量を低減することができない。
【００１１】
そこで、本発明は、消費電力量を低減することができる携帯端末装置を提供することを目的とする。
【課題を解決するための手段】
【００１２】
本発明による携帯端末装置は、ユーザによって操作されるキー操作部を含むキーシートと、内部に設置された基板に設置されキー操作部を照射する発光素子とを備えた携帯端末装置であって、時間を計測する計時手段と、発光素子を点灯または消灯させる制御手段とを備え、キーシートにおける携帯端末装置の表面側の面の裏面に向かい合って設置され、複数の穴がキーシートのキー操作部に対応する範囲に設けられ、光を蓄えてキー操作部に光を照射する蓄光シートがキーシートと基板との間に設けられ、発光素子は、基板における蓄光シートに向かい合う面に設置され、蓄光シートに設けられた穴を介してキー操作部を照射し、制御手段は、携帯端末装置に所定の条件が成立した場合に計時手段に時間の計測を開始させ、計時手段によって時間の計測が開始されてから所定の時間が経過したときに、発光素子を消灯させることを特徴とする。
【００１３】
外部から入射した光の照度を測定する照度センサを備え、照度センサは、基板における蓄光シートに向かい合う面に設置され、蓄光シートにおける照度センサに対応する位置には、外部から入射した光を通過させる照度測定用穴が設けられ、制御手段は、照度センサが測定した測定照度と、予め決められた閾値とを比較して、測定照度が閾値以下である場合に、発光素子を点灯させ、計時手段に時間の計時を開始させ、計時手段によって時間の計測が開始されてから所定の時間が経過したときに、発光素子を消灯させてもよい。
【００１４】
蓄光シートにおけるキー操作部に対応する範囲には、網目状に穴が設けられていてもよい。
【００１５】
蓄光シートに設けられている穴は、携帯端末装置の色または形状に応じた形状、数、および大きさであってもよい。
【００１６】
制御手段は、計時手段によって時間の計測が開始されてから、蓄光シートが光を蓄えるための時間が経過した場合に、発光素子を消灯させてもよい。また、蓄光シートには、蓄光材料が塗布または練り込まれていてもよい。
【発明の効果】
【００１７】
本発明によれば、蓄光シートによって発せられた光がキー操作部を照射するので、携帯端末装置の消費電力量を低減することができる。
【００１８】
また、入射した光の照度を測定する照度センサを備え、制御手段が、測定照度が閾値以下である場合に、発光素子を点灯させ、計時手段に時間の計時を開始させ、計時手段によって時間の計測が開始されてから所定の時間が経過したときに、発光素子を消灯させるように構成されている場合には、発光素子が点灯中に、蓄光シートには当該発光素子が発した光が蓄積され、発光素子の消灯後に、キー操作部には、蓄光シートによって発せられた光が照射され、ユーザによるキー操作部の視認可能な状態を維持することができる。
【００１９】
蓄光シートにおける携帯端末装置のキー操作部に対応する範囲には、網目状に穴が設けられている場合には、発光素子が発光している場合と、蓄光シートが発光している場合とを、ユーザに視覚的に区別させることができる。また、携帯端末装置の色または形状に応じた形状、数および大きさの穴を蓄光シートに設け、発光素子が点灯している場合に、ユーザによるキー操作部の視認が可能なように、キー操作部を照射する光量を確保することができる。
【００２０】
また、制御手段が、計時手段によって時間の計測が開始されてから、蓄光シートが入射された光を蓄えるための時間が経過した場合に、発光素子を消灯させるように構成されている場合には、発光素子が点灯中に、蓄光シートには当該発光素子が発した光が蓄積され、発光素子の消灯後に、キー操作部には、蓄光シートによって発せられた光が照射され、ユーザによるキー操作部の視認可能な状態を維持することができる。
【発明を実施するための最良の形態】
【００２１】
実施の形態１．
図１は、本発明による携帯端末装置の一例を示す斜視図である。図１に示すように、本実施の形態では、携帯端末装置が折畳式の携帯電話機１００である場合を例にする。なお、携帯端末装置は、携帯電話機に限らず、例えばＰＤＡ等の携帯端末装置であってもよい。
【００２２】
図１に示す携帯電話機１００は、表示部３０を含む表示部側筐体２０と、複数のキーボタンを有する操作部５０を含む操作部側筐体４０とを含む。表示部側筐体２０と操作部側筐体４０とは、開閉軸を有するヒンジ部６０で回動可能に接続されている。「回動」とは、ある軸に対して正逆方向に円運動できることをいう。携帯電話機１００は、ヒンジ部６０を軸として、例えば表示部側筐体２０を操作部側筐体４０の側に閉じたり、開いたりすることができる。
【００２３】
図２は、携帯電話機１００の内部構成例を示すブロック図である。図２に示すように、携帯電話機１００は、電波の送受信を行うアンテナ７０と、制御部１１０と、メモリ１２０と、無線通信部１３０と、操作部５０と、表示部３０と、音声入力用のマイクロフォン１４０と、音声出力用のスピーカ１５０とを備えている。
【００２４】
制御部１１０は、例えばマイクロコンピュータと周辺回路とで実現される。制御部１１０は、携帯電話機１００に設けられている各部の制御を行う。具体的には、制御部１１０は、メモリ１２０に格納されているプログラムに従って無線通信部１３０その他のブロックの制御を行う。
【００２５】
アンテナ７０を介して無線信号の送受信を行う無線通信部１３０は、信号の変復調、周波数変換および電力増幅等を行う機能を有する。すなわち、無線通信部１３０は、無線信号を、アンテナ７０を介して受信して復調する処理を行う。また、無線通信部１３０は、制御部１１０から出力された信号にもとづく変調処理を行い、アンテナ７０を介して無線信号を送信する処理を行う。
【００２６】
操作部５０には、例えば電話番号の入力等を行うためのキーボタンが設けられている。操作部５０は、ユーザの操作に応じた入力信号を制御部１１０に出力する。表示部３０は、例えば液晶表示装置によって実現される。
【００２７】
図３は、携帯電話機１００の操作部側筐体４０の分解斜視図である。図３に示す携帯電話機１００の操作部側筐体４０は、燐光材料シート（蓄光シート）２と、回路基板３に設置された照度センサ４およびＬＥＤ（発光素子）５とを含む。なお、本例では、携帯電話機（携帯端末装置）１００に設置された燐光材料シート２およびＬＥＤ５によって発せられた光が、携帯電話機１００に設けられたキー（図３に示すキーシート部１のうち、ユーザによって操作がなされる部分（キー操作部））を照射するとして説明する。
【００２８】
図３に示すように、燐光材料シート２は、回路基板３の一の面を覆うように設置される。また、燐光材料シート２における回路基板３に向かい合う面の裏側の面は、キーシート部１によって覆われる。
【００２９】
図３に示すように、回路基板３における燐光材料シート２に向かい合う面には、キーシート部１に設けられた各キーに対応する位置に、ＬＥＤ５がそれぞれ設置されている。また、回路基板３における燐光材料シート２に向かい合う面（すなわち、ＬＥＤ５が設置されている面）には、照度センサ４が設置されている。
【００３０】
燐光材料シート２において、キーシート部１のキーが設けられている範囲には、ＬＥＤ５が発した光を通過させるための穴が設けられている。以下、燐光材料シート２において、ＬＥＤ５が発した光を通過させるための穴が設けられている範囲をメッシュ部６という。
【００３１】
メッシュ部６には、例えば、一辺が１ｍｍまたは２ｍｍの正方形の複数の穴が、２ｍｍ間隔で設けられている。つまり、メッシュ部６は、網目状になっている。なお、穴の形状は、正方形でなくてもよく、円形や長方形等の形状であってもよい。また、穴の大きさは、ＬＥＤ５に発せられた光が通過可能であれば、他の大きさであってもよい。また、各穴の間隔は、他の長さの間隔であってもよい。
【００３２】
メッシュ部６に設けられている穴の大きさ、形状および数は、例えば、携帯電話機１００の形状や色等に応じて決定される。
【００３３】
また、燐光材料シート２における照度センサ４に対応する位置には、キーシート１を通過して入射された光を通過させるためのセンサ用穴（照度測定用穴）７が設けられている。なお、操作部側筐体４０における照度センサ４に対応する位置には、携帯電話機１００の外部から光を入射させるための穴が設けられていてもよい。
【００３４】
照度センサ４は、キーシート１と、センサ用穴７とを通過した光の明るさを測定する。
【００３５】
燐光材料シート２には、例えば、酸化アルミニウムに希土類元素などを添加したものや、アルミン酸ストロンチウム系顔料等が塗布されていたり、練り込まれていたりする。そして、照射された光を蓄積して（蓄光して）、蓄積した光を放つ（発光する）。なお、燐光材料シート２に塗布または練り込まれている材料は、照射された光を蓄積して（蓄光して）、蓄積した光を放つ（発光する）他の燐光材料や、蛍光材料、夜光材料等であってもよい。照度センサ４は、例えば、光電変換素子である。
【００３６】
図４は、第１の実施の形態の携帯電話機１００の操作部側筐体４０の内部構成例を示すブロック図である。図４に示すように、操作部側筐体４０は、制御手段８と、照度センサ４と、ＬＥＤ５と、タイマ部（計時手段）９とを含む。
【００３７】
制御手段８は、照度センサ４が測定した光の明るさに応じて、ＬＥＤ５を点灯させたり、消灯させたりする。制御手段８は、ＬＥＤ５を点灯させたときに、タイマ部９に時間の計測を開始させる。
【００３８】
なお、制御手段８は、図２に示された制御部１１０の一部である。また、タイマ部９は、例えば、制御部１１０におけるマイクロコンピュータに内蔵されているタイマ回路で実現される。
【００３９】
図５は、第１の実施の形態の携帯電話機１００の動作を示すフローチャートである。
【００４０】
制御手段８は、例えば、表示部側筐体２０と操作部側筐体４０とが回動して、携帯電話機１００が閉状態から開状態に遷移したときに、照度センサ４に、入射された光の明るさを測定させる（ステップＳ１０１）。なお、制御手段８は、ＬＥＤ５を点灯させるか否かを判断するときに、照度センサ４に光の明るさを測定させる。具体的には、制御手段８は、例えば、ユーザによって携帯電話機１００にキー操作がなされたときや、着信時等に、照度センサ４に光の明るさを測定させる。
【００４１】
制御手段８は、照度センサ４が測定した光の明るさ（測定照度）と閾値とを比較して、測定照度が閾値以下である場合に（ステップＳ１０２のＮ）、ＬＥＤ５を点灯させる（ステップＳ１０３）。また、制御手段８は、測定照度が閾値を超えている場合に（ステップＳ１０２のＹ）、ＬＥＤ５を点灯させない（ステップＳ１０４）。
【００４２】
なお、測定照度と比較される閾値は、例えば、１００ルクスや、１２０ルクス、１４０ルクス等であり、例えば、携帯電話機１００の色に応じて決定される。
【００４３】
そして、制御手段８は、タイマ部９に時間の計測を開始させる（ステップＳ１０５）。タイマ部９が計測している時間が所定の時間を経過するまで、ＬＥＤ５の点灯状態は継続される（ステップＳ１０６のＮ，Ｓ１０７）。なお、所定の時間は、例えば、燐光材料シート２が、ＬＥＤ５によって発せられた光を蓄積して発光するために必要な１５秒等の予め決められた時間であってもよいし、ユーザによって携帯電話機１００になされた操作に従って設定された時間であってもよい。
【００４４】
制御手段８は、タイマ部９が計測した時間が所定の時間を経過した場合に（ステップＳ１０６のＹ）、ＬＥＤ５を消灯させる（ステップＳ１０８）。ＬＥＤ５が消灯した後、キーシート部１には、燐光材料シート２によって発せられた光が照射される。
【００４５】
本実施の形態によれば、照度センサ４に入射した光の明るさが所定の閾値を超えている場合にＬＥＤ５を点灯させないので、携帯電話機１００の消費電力量を低減させることができる。
【００４６】
また、本実施の形態によれば、制御手段８は、燐光材料シート２がＬＥＤ５によって発せられた光を蓄積して発光するために必要な時間が経過してからＬＥＤ５を消灯させるので、ＬＥＤ５の消灯後に、キーシート部１には、燐光材料シート２によって発せられた光が照射され、ユーザによるキー操作部の視認可能な状態を維持することができる。
【００４７】
なお、本実施の形態では、照度センサ４は回路基板３に設けられていたが、照度センサ４を、携帯電話機１００における他の部分に設けてもよい。例えば、操作部側筐体４０における側部に設ける。照度センサ４を携帯電話機１００における他の部分に設ける場合には、燐光材料シート２にセンサ用穴７を設ける必要はない。
【００４８】
実施の形態２．
次に、本発明の第２の実施の形態について、図面を参照して説明する。図６は、本発明の第２の実施の形態の携帯電話機１００の操作部側筐体４０の分解斜視図である。
【００４９】
図６に示す第２の実施の形態の携帯電話機１００の操作部側筐体４０は、照度センサ４を備えない点が、図３および図４に示す第１の実施の形態の携帯電話機１００の操作部側筐体４０の構成と異なる。その他の構成要素は、図３および図４に示す第１の実施の形態の携帯電話機１００の操作部側筐体４０の構成要素と同様なため、図３および図４と同じ符号を付し、説明を省略する。
【００５０】
なお、図６に示すように、本実施の形態の燐光材料シート２には、センサ用穴７が設けられていない。
【００５１】
そして、制御手段８は、所定の条件が成立した場合に、ＬＥＤ５を消灯させる。所定の条件が成立した場合とは、例えば、ＬＥＤ５が点灯している受信待ち状態で、ユーザによる操作がなされずに所定の時間（例えば、１５秒間）が経過した場合である。
【００５２】
つまり、制御手段８は、通常点灯状態で、所定の時間以上ユーザによる操作がなされない場合等に、ＬＥＤ５を発光量が少ない微灯状態へ遷移させることなく、ＬＥＤ５を消灯させる。そして、ＬＥＤ５が消灯した場合に、燐光材料シート２によって発せられた光が、携帯電話機１００に設けられたキー（キーシート部１）を照射する。
【００５３】
本実施の形態によれば、所定の条件が成立した場合に、ＬＥＤ５を消灯させるので、携帯電話機１００の消費電力量を低減させることができる。
【００５４】
また、本実施の形態によれば、ＬＥＤ５の消灯後に、燐光材料シート２に発せられた光が、キーシート部１を照射するので、ユーザによるキー操作部の視認可能な状態を維持することができる。
【産業上の利用可能性】
【００５５】
本発明は、キー操作部を備えた携帯端末装置に利用することができる。
【図面の簡単な説明】
【００５６】
【図１】本発明による携帯端末装置の一例を示す斜視図である。
【図２】携帯電話機の内部構成例を示すブロック図である。
【図３】第１の実施の形態の携帯電話機の操作部側筐体の分解斜視図である。
【図４】第１の実施の形態の携帯電話機の操作部側筐体の内部構成例を示すブロック図である。
【図５】第１の実施の形態の携帯電話機の動作を示すフローチャートである。
【図６】第２の実施の形態の携帯電話機の操作部側筐体の分解斜視図である。
【符号の説明】
【００５７】
１      キーシート部
２      燐光材料シート
３      回路基板
４      照度センサ
５      ＬＥＤ
６      メッシュ部
７      センサ用穴
８      制御手段
９      タイマ部
２０    表示部側筐体
３０    表示部
４０    操作部側筐体
５０    操作部
６０    ヒンジ部
７０    アンテナ
１００  携帯電話機
１１０  制御部
１２０  メモリ
１３０  無線通信部
１４０  マイクロフォン
１５０  スピーカ
【図１】
2008236630.tif 000003
【図２】
2008236630.tif 000004
【図３】
2008236630.tif 000005
【図４】
2008236630.tif 000006
【図５】
2008236630.tif 000007
【図６】
2008236630.tif 000008